(57)【要約】【課題】操作性に優れた粘着シートを提供する。【解決手段】粘着シート１は、長尺状の基材２と、基材２の一方の面側に設けられた粘着剤層３と、粘着剤層３上に設けられた剥離シート４と、を有し、剥離シート４の幅は、粘着剤層３の幅よりも小さく、粘着剤層３の幅方向の一部に貼着されている。そして、粘着シート１は、芯９にロール状に巻回されている。粘着シート１の具体的な１つの構成としては、粘着剤層３の幅方向の一方の端部が剥離シート４で覆われ、他方の端部が露出している。【選択図】図１
2015134861.tif 000002
【特許請求の範囲】
【請求項１】
長尺状の基材と、
前記基材の一方の面側に設けられた粘着剤層と、
前記粘着剤層上に設けられた剥離シートと、を有し、
前記剥離シートの幅は、前記粘着剤層の幅よりも小さく、前記粘着剤層の幅方向の一部に貼着されていることを特徴とする粘着シート。
【請求項２】
前記粘着剤層の幅方向の一方の端部が前記剥離シートで覆われ、他方の端部が露出している請求項１に記載の粘着シート。
【請求項３】
ロール状に巻回されている請求項１または２に記載の粘着シート。
【請求項４】
厚みが幅方向において一定である請求項３に記載の粘着シート。
【請求項５】
前記粘着剤層は、前記剥離シートが貼着されている領域の厚みが、前記剥離シートが貼着されていない領域の厚みよりも薄い請求項４に記載の粘着シート。
【請求項６】
前記基材は、前記剥離シートと重なる領域の厚みが、前記剥離シートと重ならない領域よりも薄い請求項４に記載の粘着シート。
【請求項７】
長尺状の基材と、
前記基材の一方の面側に設けられた第１粘着剤層と、
前記基材の他方の面側に設けられた第２粘着剤層と、
前記第２粘着剤層上に設けられた剥離シートと、を有し、
前記第１粘着剤層の幅は、前記基材の幅よりも小さく、前記基材の幅方向の一方側に偏って配置されていることを特徴とする粘着シート。
【請求項８】
前記第２粘着剤層の幅は、前記基材の幅よりも小さく、前記基材の幅方向の他方側に偏って配置されている請求項７に記載の粘着シート。
【発明の詳細な説明】
【技術分野】
【０００１】
本発明は、粘着シートに関するものである。
【背景技術】
【０００２】
従来から、粘着シートとして、一般的に「ガムテープ」、「セロハンテープ」、「ビニールテープ」と呼ばれているものが知られている。これらは、基材と、基材上に設けられた粘着剤層とを有する帯状体をロール状に巻回してなるものである。しかしながら、これら粘着シートでは、巻き出した部分の全面で粘着剤層が露出するため、粘着剤層の一部が他の部分に貼り付き易く、操作性が悪いという問題がある。
【０００３】
この点を解消すべく、例えば、特許文献１には、基材と、基材上に設けられた粘着剤層と、粘着剤層状に設けられ、中央部に切り込みが入った剥離シートとを有する粘着シートが知られている。このような粘着シートは、まず、一方の剥離シートを剥がした状態で貼着対象物に貼着し、次に、他方の剥離シートを剥がして残りの部分を貼着対象物に貼着するように使用される。このような方法によれば、粘着剤層の一部を覆った状態で貼着対象物に貼着することができるので、前述した粘着シートと比較して、操作性が向上するという利点がある。しかしながら、特許文献１の粘着シートでは、貼着前に一方の剥離シートを剥がさなければならず、これが手間となる。
【先行技術文献】
【特許文献】
【０００４】
【特許文献１】特開平７−６２３０７号公報
【発明の概要】
【発明が解決しようとする課題】
【０００５】
本発明の目的は、操作性に優れた粘着シートを提供することにある。
【課題を解決するための手段】
【０００６】
このような目的は、下記の本発明により達成される。
（１）  長尺状の基材と、
前記基材の一方の面側に設けられた粘着剤層と、
前記粘着剤層上に設けられた剥離シートと、を有し、
前記剥離シートの幅は、前記粘着剤層の幅よりも小さく、前記粘着剤層の幅方向の一部に貼着されていることを特徴とする粘着シート。
【０００７】
（２）  前記粘着剤層の幅方向の一方の端部が前記剥離シートで覆われ、他方の端部が露出している上記（１）に記載の粘着シート。
【０００８】
（３）  ロール状に巻回されている上記（１）または（２）に記載の粘着シート。
（４）  厚みが幅方向において一定である上記（３）に記載の粘着シート。
【０００９】
（５）  前記粘着剤層は、前記剥離シートが貼着されている領域の厚みが、前記剥離シートが貼着されていない領域の厚みよりも薄い上記（４）に記載の粘着シート。
【００１０】
（６）  前記基材は、前記剥離シートと重なる領域の厚みが、前記剥離シートと重ならない領域よりも薄い上記（４）に記載の粘着シート。
【００１１】
（７）  長尺状の基材と、
前記基材の一方の面側に設けられた第１粘着剤層と、
前記基材の他方の面側に設けられた第２粘着剤層と、
前記第２粘着剤層上に設けられた剥離シートと、を有し、
前記第１粘着剤層の幅は、前記基材の幅よりも小さく、前記基材の幅方向の一方側に偏って配置されていることを特徴とする粘着シート。
【００１２】
（８）  前記第２粘着剤層の幅は、前記基材の幅よりも小さく、前記基材の幅方向の他方側に偏って配置されている上記（７）に記載の粘着シート。
【発明の効果】
【００１３】
本発明によれば、初めから粘着剤層が露出している領域と粘着剤層が剥離シートで覆われている領域とを有しているため、優れた操作性を発揮することができる。すなわち、従来の粘着シート（ガムテープ、セロハンテープ、ビニールテープ等）のように、巻き出した全域で粘着剤層が露出することがないため、粘着剤層の一部が他の部分に貼り付き難くなり、その分、操作性が向上する。また、特許文献１の粘着シートのように、貼着前に剥離シートを剥がす必要がないため、この点でも操作性が向上する。特に、ロール状に巻回している場合には、剥離シートで覆われずに露出している部分が基材によって覆われるため、粘着剤層の粘着性を保持することができる。
【図面の簡単な説明】
【００１４】
【図１】（ａ）が本発明の第１実施形態に係る粘着シートを示す斜視図、（ｂ）が（ａ）中のＡ−Ａ線断面図である。
【図２】図１に示す粘着シートの使用方法を説明する図である。
【図３】図１に示す粘着シートの使用方法を説明する図である。
【図４】図１に示す粘着シートの使用方法を説明する図である。
【図５】図１に示す粘着シートの使用方法を説明する図である。
【図６】本発明の第２実施形態に係る粘着シートを示す断面図である。
【図７】本発明の第３実施形態に係る粘着シートを示す断面図である。
【図８】（ａ）が本発明の第４実施形態に係る粘着シートを示す平面図、（ｂ）が（ａ）中のＢ−Ｂ線断面である。
【図９】（ａ）が本発明の第５実施形態に係る粘着シートを示す斜視図、（ｂ）が（ａ）中のＣ−Ｃ線断面図である。
【図１０】図９に示す粘着シートの使用方法を説明する図である。
【図１１】本発明の第６実施形態に係る粘着シートを示す断面図である。
【図１２】図１１に示す粘着シートの使用方法を説明する図である。
【発明を実施するための形態】
【００１５】
以下、本発明の粘着シートの好適な実施形態について、添付図面を参照しつつ説明する。
【００１６】
＜第１実施形態＞
まず、本発明の粘着シートの第１実施形態について説明する。
【００１７】
図１は、（ａ）が本発明の第１実施形態に係る粘着シートを示す斜視図、（ｂ）が（ａ）中のＡ−Ａ線断面図である。図２ないし図５は、それぞれ、図１に示す粘着シートの使用方法を説明する図である。
【００１８】
図１（ａ）に示すように、粘着シート１は、帯状をなし、円筒状の芯９にロール状に巻回されている。このような粘着シート１は、図１（ｂ）に示すように、可撓性を有する帯状の基材２と、基材２上に設けられた粘着剤層３と、粘着剤層３上に設けられた剥離シート４とで構成されている。また、基材２の粘着剤層３と反対側の面には、粘着シート１をロール状に巻回した状態で、粘着剤層３が基材２に貼り付かないように剥離性処理が施されている。
【００１９】
基材２としては、特に限定されず、例えば、ポリプロピレンなどの樹脂材料で構成された樹脂フィルムや、クラフト紙などの紙や、不織布、編物、織物などの布を用いることができる。
【００２０】
また、粘着剤層３の幅方向（図１（ｂ）中の横方向）の一端部が剥離シート４で覆われ、他端部が剥離シート４から露出している。すなわち、粘着剤層３は、幅方向の一方側に位置し、剥離シート４で覆われている第１領域３１と、幅方向の他方側に位置し、剥離シート４で覆われていない第２領域３２とが存在している。前述したように、粘着シート１がロール状に巻回されていているため、第２領域３２は、基材２で覆われ、その粘着性が保持される。
【００２１】
また、本実施形態では、第１、第２領域３１、３２の境界Ｓが粘着シート１の延在方向に沿って直線状に延在している。そのため、第２領域３２を対象物に貼着した後で剥離シート４を剥離し易くなる。ただし、境界Ｓは、粘着シート１の延在方向に沿った直線状である必要はなく、例えば、粘着シート１の延在方向に沿って延在する波状の曲線であってもよい。
【００２２】
また、本実施形態では、第１領域３１の幅Ｗ１と、第２領域３２の幅Ｗ２とがほぼ等しく、境界Ｓが幅方向のほぼ中央に位置している。これにより、第１、第２領域３１、３２の面積がほぼ等しくなり、粘着シート１の使い勝手が良くなる。ただし、幅Ｗ１、Ｗ２の大小関係は、これに限定されず、幅Ｗ１が幅Ｗ２よりも小さく、境界Ｓが第１領域３１側に片寄っていてもよいし、反対に、幅Ｗ２が幅Ｗ１よりも小さく、境界Ｓが第２領域３２側に片寄っていてもよい。幅Ｗ１、Ｗ２の関係は、粘着シート１の幅や用途によって適宜設定すればよい。
【００２３】
このように、粘着シート１は、初めから粘着剤層３が露出している第２領域３２と、粘着剤層３が剥離シート４で覆われている第１領域３１とを有しているため、優れた操作性を発揮することができる。すなわち、巻き出した全域で粘着剤層３が露出することがないため、粘着剤層３の一部が他の部分に貼り付き難くなり、その分、操作性が向上する。また、貼着前に剥離シート４を剥がす必要がないため、この点でも操作性が向上する。また、ゴミ（剥離した剥離シート４）の発生を低減することができる。
【００２４】
次に、粘着シート１の使用方法について説明する。
例えば、壁１００にポスター２００を固定する場合は、まず、ロール状の粘着シート１を先端から巻き出して適当な長さに切断する。次に、図２（ａ）に示すように、粘着シート１を、水平方向に延在し第１領域３１が上側に位置するように壁１００に貼着する。この際、壁１００に貼着されるのは第２領域３２のみである。次に、図２（ｂ）に示すように、第１領域３１と壁１００の間にポスター２００の下端部を挿入する。次に、剥離シート４を剥離しながら、第１領域３１を徐々にポスター２００に貼着していく。以上によって、図２（ｃ）に示すように、ポスター２００の下端部が粘着シート１によって壁１００に固定される。
【００２５】
なお、ポスター２００の上端部を粘着シート１で固定する場合も同様である。すなわち、まず、適当な長さに切断した粘着シート１を、第１領域３１が下側に位置するように壁１００に貼着する。この際、第１領域３１内にポスター２００の上端が位置するようにする。次に、第１領域３１と壁１００の間にポスター２００の上端部を挿入する。既に、ポスター２００の下端部が壁１００に固定されているため、ポスター２００の上端部を第１領域３１と壁１００の間に挿入した状態を維持するのは容易である。次に、剥離シート４を剥離しながら第１領域３１をポスター２００に貼着していく。以上によって、ポスター２００の上端部が粘着シート１によって壁１００に固定される。
【００２６】
また、例えば、ダンボール箱３００の蓋３０１、３０２を粘着シート１で閉じる場合は、まず、粘着シート１を適当な長さに切断して、図３（ａ）に示すように、一方の蓋３０１に第２領域３２を貼着し、蓋３０１、３０２を閉じ合わせて縁同士を当て付ける。次に、図３（ｂ）に示すように、剥離シート４を剥離しながら、露出した第１領域３１を蓋３０２に貼着していく。以上によって、蓋３０１、３０２を粘着シート１で閉じることができる。特に、このような方法によれば、例えば、蓋３０１、３０２が盛り上がってしまうほどダンボール箱３００内に物が詰め込まれている場合にも、蓋３０１、３０２の縁同士を当て付けながら粘着シート１（第１領域３１）の貼着を行うことができるので、ダンボール箱３００の蓋閉じをきれいにかつ簡単に行うことができる。
【００２７】
また、例えば、分割されたシート４０１、４０２を貼り合わせて１枚のシート４００とする場合は、まず、粘着シート１を適当な長さに切断して、図４（ａ）に示すように一方のシート４０１の縁に第２領域３２を貼着する。次に、図４（ｂ）に示すように、シート４０２をシート４０１に対して位置決めしつつ、粘着シート１（剥離シート４）上に配置する。次に、図４（ｃ）に示すように、剥離シート４を剥離しながら、露出した第１領域３１を蓋３０２に貼着していく。以上によって、シート４０１、４０２が繋ぎ合わされて１枚のシート４００になる。
【００２８】
また、例えば、粘着シート１は、工事の際に出る削りカスを回収するのに用いることもできる。例えば、ドリル５００で壁１００に穴をあける場合、図５（ａ）に示すように、穴をあける場所Ｐの下方に、適当な長さの粘着シート１を第１領域３１が上側に位置するようにして貼着し、境界Ｓで粘着シート１を折って剥離シート４（第１領域３１）を斜め上に向かせた後、剥離シート４を剥離する。この状態で、ドリル５００で穴をあけると、図５（ｂ）に示すように、その際に発生する削りカスＨが落下して粘着剤層３の第１領域３１に粘着する。そして、穴をあけ終えた後は、粘着シート１を剥がせば、簡単に、削りカスを回収することができる。
【００２９】
＜第２実施形態＞
次に、本発明の粘着シートの第２実施形態について説明する。
図６は、本発明の第２実施形態に係る粘着シートを示す断面図である。
【００３０】
以下、第２実施形態の粘着シートについて、前述した第１実施形態との相違点を中心に説明し、同様の事項については、その説明を省略する。
【００３１】
第２実施形態の粘着シートは、粘着剤層の構成が異なる以外は、第１実施形態とほぼ同様である。
【００３２】
図６に示すように、本実施形態の粘着剤層３では、第１領域３１の厚みｔ１が、第２領域３２の厚みｔ２よりも薄くなっており、粘着剤層３の表面に剥離シート４の厚み分の段差が形成されている。すなわち、（ｔ２−ｔ１）が剥離シート４の厚みとほぼ等しくなっている。これにより、粘着シート１の幅方向の厚みをほぼ一定に揃えることができ、粘着シート１をロール状に巻回し易くなる。
【００３３】
このような第２実施形態によっても、前述した第１実施形態と同様の効果を発揮することができる。
【００３４】
＜第３実施形態＞
次に、本発明の粘着シートの第３実施形態について説明する。
図７は、本発明の第３実施形態に係る粘着シートを示す断面図である。
【００３５】
以下、第３実施形態の粘着シートについて、前述した第１実施形態との相違点を中心に説明し、同様の事項については、その説明を省略する。
【００３６】
第３実施形態の粘着シートは、基材の構成が異なる以外は、第１実施形態とほぼ同様である。
【００３７】
図７に示すように、本実施形態の基材２では、剥離シート４（第１領域３１）と重なる部分２１の厚みｔ３が、剥離シート４と重ならない部分（第２領域３２と重なる部分）２２の厚みｔ４よりも薄くなっており、基材２の表面に剥離シート４の厚み分の段差が形成されている。すなわち、（ｔ４−ｔ３）が剥離シート４の厚みとほぼ等しくなっている。これにより、粘着シート１の幅方向の厚みを一定に揃えることができ、粘着シート１をロール状に巻回し易くなる。
【００３８】
このような第３実施形態によっても、前述した第１実施形態と同様の効果を発揮することができる。
【００３９】
＜第４実施形態＞
次に、本発明の粘着シートの第４実施形態について説明する。
【００４０】
図８は、（ａ）が本発明の第４実施形態に係る粘着シートを示す平面図、（ｂ）が（ａ）中のＢ−Ｂ線断面である。
【００４１】
以下、第４実施形態の粘着シートについて、前述した第１実施形態との相違点を中心に説明し、同様の事項については、その説明を省略する。
【００４２】
第４実施形態の粘着シートは、剥離シートの構成が異なる以外は、第１実施形態とほぼ同様である。
【００４３】
図８（ａ）、（ｂ）に示すように、本実施形態では、剥離シート４が、粘着剤層３の一方の端部に設けられた第１剥離シート４１と、他方の端部に設けられた第２剥離シート４２とで構成されている。そして、粘着剤層３の中央部には、剥離シート４が配置されておらず、当該部分が剥離シート４から露出している。
【００４４】
このような第４実施形態によっても、前述した第１実施形態と同様の効果を発揮することができる。
【００４５】
以上、図示の実施形態に基づいて本発明の粘着シートを説明したが、本発明は、これらに限定されるものでない。例えば、本発明の粘着シートでは、各部の構成は、同様の機能を発揮する任意の構成のものに置換することができ、また、任意の構成を付加することもできる。また、前述の実施形態を適宜組み合わせてもよい。
【００４６】
＜第５実施形態＞
次に、本発明の粘着シートの第５実施形態について説明する。
【００４７】
図９は、（ａ）が本発明の第５実施形態に係る粘着シートを示す斜視図、（ｂ）が（ａ）中のＣ−Ｃ線断面図である。図１０は、図９に示す粘着シートの使用方法を説明する図である。
【００４８】
以下、第５実施形態の粘着シートについて、前述した第１実施形態との相違点を中心に説明し、同様の事項については、その説明を省略する。
【００４９】
図９（ａ）に示すように、粘着シート１０は、帯状をなし、円筒状の芯９０にロール状に巻回されている。このような粘着シート１０は、図９（ｂ）に示すように、可撓性を有する帯状の基材２０と、基材２０の一方の面（上面）上に設けられた第１粘着剤層３０と、基材２０の他方の面（下面）上に設けられた第２粘着剤層５０と、第２粘着剤層５０上に設けられ、第２粘着剤層５０の粘着面を覆う剥離シート６０とで構成されている。
【００５０】
基材２０としては、特に限定されず、例えば、ポリプロピレンなどの樹脂材料で構成された樹脂フィルムや、クラフト紙などの紙や、不織布、編物、織物などの布を用いることができる。
【００５１】
第２粘着剤層５０は、基材２０とほぼ等しい幅を有しており、基材２０の上面のほぼ全域に配置されている。同様に、剥離シート６０は、基材２０とほぼ等しい幅を有しており、第２粘着剤層５０の粘着面のほぼ全域が剥離シート６０で覆われている。
【００５２】
一方、第１粘着剤層３０は、基材２０よりも幅が小さく、基材２０の幅方向の一方側（図９中の右側）に偏って配置されている。本実施形態では、第１粘着剤層３０の幅は、基材２０の幅のほぼ半分であり、よって、基材２０の下面の左側半分に第１粘着剤層３０が設けられている。ただし、第１粘着剤層３０の幅としては、基材２０の幅よりも小さければ特に限定されず、基材２０の幅の半分未満であっても良いし、基材２０の幅の半分を超えても良い。また、第１粘着剤層３０の位置としては、特に限定されず、例えば、基材２の幅方向の両端部を除き、基材２０の幅方向の中央部に位置していてもよい。
【００５３】
ここで、前述したように、粘着シート１０は、ロール状に巻回されているため、ロール状の状態では、第１粘着剤層３０の表面（粘着面）は、剥離シート６０で覆われ、その粘着性が保持される。剥離シート６０の表面（第２粘着剤層５０と反対側の面）は、第１粘着剤層３０の貼り付きを防止する剥離性処理が施されている。
【００５４】
このような構成の粘着シート１０では、芯９０から巻き出した部分において、初めから第１粘着剤層３０の粘着面が露出するため、優れた操作性を発揮することができる。具体的には、従来のように第１粘着剤層３０を貼着するのに剥離シートを剥がす必要がないため、この点において操作性が向上する。また、基材２０の下面の左側半分にのみ第１粘着剤層３０が設けられているため、基材２０の下面の右側半分の部分（基材２０が露出している部分）は、貼着されない。そのため、例えば、図１０（ａ）に示すように、適当な長さに切断した粘着シート１０を第１粘着剤層３０によって壁１００に貼着すれば、図１０（ｂ）に示すように、中心線において半分に折り曲げることができる。さらに、剥離シート６０を剥離して、第２粘着剤層５０でポスター２００を挟み込めば、壁にポスターを固定することができる。この状態では、ポスター２００の外縁が粘着シート１０で覆われているため、ポスター２００の外縁の痛み（損傷）が防止される。そのため、ポスター２００の破損を低減することができる。
【００５５】
このような第５実施形態によっても、前述した第１実施形態と同様の効果を発揮することができる。
【００５６】
＜第６実施形態＞
次に、本発明の粘着シートの第６実施形態について説明する。
【００５７】
図１１は、本発明の第６実施形態に係る粘着シートを示す断面図である。図１２は、図１１に示す粘着シートの使用方法を説明する図である。
【００５８】
以下、第６実施形態の粘着シートについて、前述した第５実施形態との相違点を中心に説明し、同様の事項については、その説明を省略する。
【００５９】
本実施形態の粘着シートは、第２粘着剤層の配置が異なること以外は、前述した第５実施形態の粘着シートと同様である。
【００６０】
図１１に示すように、本実施形態の粘着シート１０では、第１粘着剤層３０および第２粘着剤層５０が供に基材２０よりも幅が小さく、第１粘着剤層３０が基材２０の幅方向の一方側（図１１中の右側）に偏って配置され、第２粘着剤層５０が基材の幅方向の他方側（図１１中の左側）に偏って配置されている。本実施形態では、第１粘着剤層３０および第２粘着剤層５０は、共に、その幅が基材２０の幅のほぼ半分であり、よって、基材２０の上面の右側半分に第１粘着剤層３０が設けられ、基材２０の下面の左側半分に第２粘着剤層５０が設けられている。ただし、第１粘着剤層３０および第２粘着剤層５０の幅としては、それぞれ、基材２０の幅よりも小さければ特に限定されず、基材２０の幅の半分未満であっても良いし、基材２０の幅の半分を超えても良い。ただし、第１粘着剤層３０の幅と第２粘着剤層５０の幅の合計が基材２０の幅とほぼ等しくなるのが好ましい。これにより、本実施形態のように、第１粘着剤層３０を基材２０の右端に詰めて配置し、第２粘着剤層５０を基材２０の左端に詰めて配置したときに、第１粘着剤層３０の基材２０の中央側での端部３０ａと、第２粘着剤層５０の基材２０の中央側での端部５０ａとが厚さ方向で一致する。これにより、後述するように粘着シート１０の厚さを揃えることができるので、粘着シート１０をロール状に巻回し易くなる。
【００６１】
また、剥離シート６０は、第２粘着剤層５０とほぼ等しい幅を有しており、第２粘着剤層５０の表面（粘着面）のほぼ全域を覆っている。
【００６２】
なお、前述したように、粘着シート１０は、ロール状に巻回されているため、第１粘着剤層３０の表面（粘着面）は、基材２０で覆われ、その粘着性が保持される。基材２０の表面（第１粘着剤層３０の粘着面と接触する部分）は、第１粘着剤層３０の貼り付きを防止する剥離性処理が施されている。
【００６３】
ここで、第１粘着剤層３０の厚みｔ６としては、特に限定されないが、第２粘着剤層５０の厚さと剥離シート６０の厚さの合計（合計厚みｔ７）とほぼ等しいことが好ましい。これにより、粘着シート１０の幅方向の厚みをほぼ一定に揃えることができ、粘着シート１０をロール状に巻回し易くなる。
【００６４】
このように、粘着シート１０は、芯９０から巻き出した部分において、初めから第１粘着剤層３０の粘着面が露出しているため、優れた操作性を発揮することができる。具体的には、第１粘着剤層３０を貼着するのに剥離シートを剥がす必要がないため、この点において操作性が向上する。また、基材２０の下面の左側半分にのみ第１粘着剤層３０が設けられているため、基材２０の下面の右側半分の部分は、貼着されない。そのため、例えば、図１２（ａ）に示すように、適当な長さに切断した粘着シート１０を第１粘着剤層３０によって壁１００に貼着すれば、図１２（ｂ）に示すように、半分に折り曲げることができる。さらに、図１２（ｃ）に示すように、剥離シート６０を剥離して、第２粘着剤層５０に幅広の厚紙６００等を貼着すれば、前述した第１実施形態で説明したような、削りカスＨを効率的に回収することができる。
【００６５】
このような第６実施形態によっても、前述した第１実施形態と同様の効果を発揮することができる。
【００６６】
以上、図示の実施形態に基づいて本発明の粘着シートを説明したが、本発明は、これらに限定されるものでない。例えば、本発明の粘着シートでは、各部の構成は、同様の機能を発揮する任意の構成のものに置換することができ、また、任意の構成を付加することもできる。また、前述の実施形態を適宜組み合わせてもよい。
【符号の説明】
【００６７】
１、１０          粘着シート
２、２０          基材
２１        部分
２２        部分
３          粘着剤層
３０        第１粘着剤層
３０ａ      端部
３１        第１領域
３２        第２領域
４          剥離シート
４１        第１剥離シート
４２        第２剥離シート
５０        第２粘着剤層
５０ａ      端部
６０        剥離シート
９、９０    芯
１００      壁
２００      ポスター
３００      ダンボール箱
３０１      蓋
３０２      蓋
４００      シート
４０１      シート
４０２      シート
５００      ドリル
６００      厚紙
Ｈ          カス
Ｐ          場所
Ｓ          境界
ｔ１        厚み
ｔ２        厚み
ｔ３        厚み
ｔ４        厚み
ｔ６        厚み
ｔ７        厚み
【図１】
2015134861.tif 000003
【図２】
2015134861.tif 000004
【図３】
2015134861.tif 000005
【図４】
2015134861.tif 000006
【図５】
2015134861.tif 000007
【図６】
2015134861.tif 000008
【図７】
2015134861.tif 000009
【図８】
2015134861.tif 000010
【図９】
2015134861.tif 000011
【図１０】
2015134861.tif 000012
【図１１】
2015134861.tif 000013
【図１２】
2015134861.tif 000014